Podtech/llm-jp-corpus-v4-ja_patent huggingface dataset:
【手続補正書】
【提出日】平成15年6月5日(2003.6.5)
【手続補正１】
【補正対象書類名】明細書
【補正対象項目名】０００９
【補正方法】変更
【補正の内容】
【０００９】
図１による実施例は、サスペンション装置１を示しており、このサスペンション装置が、例えば、かじ取り足車として形成されたキャスター２に配置されている。この、垂直方向の軸線５を中心にして旋回可能なキャスター２は、車輪収容部３を有しており、この車輪収容部が、水平方向の軸線（支持軸線）上で回転可能に支承された車輪７の担持のための、および、このサスペンション装置１の担持のための役割を果たす。このサスペンション装置１は、円筒形のハブ本体９、ばね部材１９、および反力支承部材１８を有している。この車輪７は、水平方向の軸線（支持軸線）に対して同心的に設けられた円筒形の穿孔８を備えられており、この陥入部が、このハブ本体９の収容部の役割を果たし、その際、このハブ本体９の外径が、この円筒形の穿孔８の内径よりもほんの少しだけより小さい。このハブ本体９は、２つの、間隔を保持された円筒形の軸受座１０を備えており、これら軸受座が、２つの、有利にはころ軸受として形成された軸受１５の収容のための役割を果たしており、その際、この軸受１５が、この円筒形の穿孔８内において、ぴったりと精確に組み込まれている。このハブ本体９は、水平方向に指向する、円弧状のスリットの形をした空間１１を有しており、この空間を通って、例えばロッドとして形成された反力支承部材１８が貫通案内されている。この空間１１内において、同様にばね部材１９も格納されており、このばね部材は、例えば伸縮性合成樹脂として形成されており、且つ、この反力支承部材１８と協動する。この空間１１に対して間隔をおいて、このハブ本体９は、水平方向に指向する貫通孔１２を有しており、この貫通孔が担持軸１７の収容のために設けられており、この担持軸を用いて、この車輪７が、この車輪収容部３のフォーク状脚部４において固定可能である。それぞれのフォーク状脚部４は、この目的のために、水平方向に指向する第１の穿孔２０を有しており、これによって、この担持軸１７はこのフォーク状脚部４において固定可能となる。この第１の穿孔２０に対して間隔をおいて、それぞれのフォーク状脚部４において、それぞれ１つの第２の水平方向に配設された穿孔２１が設けられており、その際、この穿孔２１は、反力支承部材１８の収容および固定のために設けられている。通常の様式の固定手段は、このフォーク状脚部４における、この担持軸１７、および、この担持軸１７に対して平行に配設された反力支承部材１８の固定のために使用される。このハブ本体９は、その際に、僅かな側方の遊隙を有して、これらフォーク状脚部４の間に配設されている。このサスペンション装置１の組み付け状態において、このばね部材１９は、既に、反力支承部材１８に軽い圧力でもって当接しているか、それとも、このばね部材１９と反力支承部材１８との間のより軽い組み付けの理由から、少量の遊隙が与えられている。この車輪７を負荷した場合、このハブ本体９、および従って、この車輪７は、旋回運動を実行し、従って、この空間１１内において、形状一体的に格納されたばね部材１９が、この固定式に配設された反力支承部材１８対して押圧される。この収縮弾ぱつ工程（Einfederungsvorgang）において、このばね部材１９は、変形し、且つエネルギーを収容す��。この車輪７が除荷された場合、このばね部材１９はエネルギーを放出し、従って、この車輪が、伸長弾ぱつ工程（Ausfederungsvorgang）のように、出発位置に帰還する。このばね部材１９は、このばね部材１９がハブ本体９にと同様に、車輪収容部３にも固定されているように、同様に構成され得る。
【手続補正書】
【提出日】平成16年10月20日(2004.10.20)
【手続補正１】
【補正対象書類名】明細書
【補正対象項目名】請求項８
【補正方法】変更
【補正の内容】
【請求項８】
薄肉のシートメタル材料から形成される上部セクション（２）、前記上部セクション（２）に剛性的に結合し、そしてドアの幅にわたって延びており、剛性材料から形成されている支持体セクション（３）、並びに、より薄いシートメタル材料から同様に形成され、そして前記支持体セクションに剛性的に結合している下部セクション（４）
を有するシートパネル（１１）少なくとも１つを有する、自動車ドア。
【手続補正２】
【補正対象書類名】明細書
【補正対象項目名】請求項１１
【補正方法】変更
【補正の内容】
【請求項１１】
前記シートパネルが、外側シートパネル（１１）であることを特徴とする、請求項８〜１０のいずれか一項に記載の自動車ドア。
【手続補正３】
【補正対象書類名】明細書
【補正対象項目名】請求項１２
【補正方法】変更
【補正の内容】
【請求項１２】
自動車の車体部品用のシートパネル（１１）の製造方法、特に、請求項８〜１１のいずれか一項に記載の自動車ドア（６）のシートパネル（１１）の製造方法であって、
前記方法において、剛性シートメタル材料から形成された支持セクション（３）の各長手方向側に、高延性シートメタルからなる変形セクション（２，４）を取り付けることにより、ブランク（１）を形成し、そして
前記方法において、車体部品のシートパネル（１１）を、前記ブランク（１）から冷間成形する、
前記製造方法。
【手続補正書】
【提出日】平成16年8月16日(2004.8.16)
【手続補正１】
【補正対象書類名】特許請求の範囲
【補正対象項目名】全文
【補正方法】変更
【補正の内容】
【特許請求の範囲】
【請求項１】
サーフィン用具にフィンプラグを取り付ける装置において、
フィンに延設したタブが嵌合するキャビティを有し、外周に複数のアウトリガーを延設したフィンプラグ、および
サーフィン用具の下面に接合し、かつ複数の切り込みを形成した開口を形成する調節ジグを有し、
この開口が、フィンプラグの外周に実質的に対応する外形を有し、かつ複数の切り込みが実質的に複数のアウトリガーに対応し、
上記開口が、取り付けキャビティの外形が実質的にフィンプラグの外周に対応するように、サーフィン用具の下面内に取り付けキャビティを切削形成する切削手段を案内し、
上記複数の切り込みが、サーフィン用具の取り付けキャビティ内に所定の深さおよび方向でフィンプラグを容易に挿入できるように、サーフィン用具の下面に複数のアウトリガーを位置決めすることを特徴とする取り付け装置。
【請求項２】
フィンプラグが、少なくとも三つのアウトリガーを有する請求項１記載の装置。
【請求項３】
フィンプラグの外周から上向きにフランジを延設し、このフランジに複数のアウトリガーを延設した請求項１または２記載の装置。
【請求項４】
フランジおよび複数のアウトリガーが除去できる請求項３記載の装置。
【請求項５】
フランジおよび複数のアウトリガーが、ペーパー仕上げ処理によって除去できる請求項４記載の装置。
【請求項６】
調節ジグを、ペーパー仕上げ処理によって除去できる材料で構成した請求項５記載の装置。
【請求項７】
調節ジグが、上記開口内において、フィンプラグを取り付けキャビティ内に固着する硬化性材料を保持できる所定の厚みをもつ請求項１〜６のいずれか１項記載の装置。
【請求項８】
フィンプラグの外面から、タブを嵌合するキャビティを形成し、フィンプラグの外面が所定方向において実質的にサーフィン用具の下面と同じ高さになるように、複数のアウトリガーがフィンプラグの位置および方向を設定する請求項１〜６のいずれか１項記載の装置。
【請求項９】
フィンプラグが、フィンタブをフィンプラグのキャビティ内に着脱自在に固定する固定手段を有す請求項１〜８のいずれか１項記載の装置。
【請求項１０】
固定手段が、フィンプラグ内に設けた止めねじを有し、この止めねじをフィンタブに選択的に接触させてフィンタブのキャビティからの飛び出しを防止した請求項９記載の装置。
【請求項１１】
調節ジグが剥離層を有し、この剥離層を剥離してサーフィン用具の下面に接合する接着性面を露出させる請求項１〜１０のいずれか１項記載の装置。
【請求項１２】
調節ジグが２つの以上の開口を形成し、各開口から複数の切り込みを形成した請求項１〜１１のいずれか１項記載の装置。
【請求項１３】
請求項１〜１２のいずれか１項記載の装置を対象とする調節ジグにおいて、
第１層、
第２層、および
第２層を剥離して、サーフィン用具に第１層を接合する接着性層を露出できるように、第１層と第２層との間に設層した接着性層を有し、
少なくとも第１層および接着性層の中心部分に、これらの層を貫通する開口を設けるとともに、フィンプラグの複数のアウトリガーに対応する複数の切り込みをこの開口に形成し、そして
複数のアウトリガーをもつフィンプラグが第１層に当接し、アウトリガーをサーフィン用具の表面に載せ、サーフィン用具内において所定方向にフィンプラグを位置決めすることを特徴とする調節ジグ。
【請求項１４】
上記開口がサーフィン用具内に取り付けキャビティを形成する切断手段を案内し、この取り付けキャビティの外形が実質的に上記開口の外形に対応する請求項１３記載の調節ジグ。
【請求項１５】
第１層をペーパー仕上げ処理によって除去できる材料で構成した請求項１３または１４記載の調節ジグ。
【請求項１６】
さらに、第１層が、上記開口内において、フィンプラグをサーフィン用具内に固着する硬化性材料を保持する請求項１３〜１５のいずれか１項記載の調節ジグ。
【請求項１７】
二つ以上の開口が上記層を貫通する請求項１３〜１６のいずれか１項記載の調節ジグ。
【請求項１８】
サーフィン用具にフィンプラグを取り付ける方法において、
貫通開口を有し、この開口に複数の切り込みを形成した調節ジグをサーフィン用具の下面に位置決めする工程、
外形が、実質的に上記開口の外形に対応する取り付けキャビティをサーフィン用具内に形成する工程、
外周に複数のアウトリガーを延設したフィンプラグを取り付けキャビティ内に位置決めする工程、
上記切り込み内にフィンプラグのアウトリガーを位置決めする工程、
取り付けキャビティに樹脂を充填する工程、および
調節ジグおよびフィンプラグのアウトリガーを除去する工程を有することを特徴とする取り付け方法。
【請求項１９】
さらに、フィンプラグにダミーフィンを嵌合する工程を有する請求項１８記載の方法。
【請求項２０】
さらに、調節可能な量のパテを上記切り込みに装入し、フィンプラグの対頂傾斜角を調節する工程を有する請求項１８または１９記載の方法。
【請求項２１】
上記開口および上記切り込みを予め形成しておいた請求項１８〜２０のいずれか１項記載の方法。
【請求項２２】
さらに、取り付けキャビティからはみ出した材料を除去して樹脂を充填する別な間隙を形成する工程を有する請求項１８〜２１のいずれか１項記載の方法。
【請求項２３】
上記の別な間隙を実質的にサーフィン用具の上面の表面まで形成した請求項２２記載の方法。
【請求項２４】
調節ジグが、請求項１３〜１７のいずれか１項の調節ジグである請求項１８〜２３のいずれか１項記載の方法。
【手続補正書】
【提出日】平成16年8月9日(2004.8.9)
【手続補正１】
【補正対象書類名】明細書
【補正対象項目名】０００２
【補正方法】変更
【補正の内容】
【０００２】
国際出願ＷＯ９８／３５７４０号には、その境界面がフィルタ面を画成するフィルタ材料中に開口部が形成されたフィルタモジュールが開示されている。該フィルタモジュールは、フィルタモジュールの長手方向に通路が形成され、該通路を通って、未ろ過材料がフィルタモジュール内に流れ、また、該通路から、ろ液がフィルタモジュールから出るようにその開口部が互いの頂部に実質的に配置された同一の円板形状のフィルタエレメントを複数、積み重ねることにより、製造される。フィルタエレメントは、円板を圧縮するフレーム内に配置される。フィルタ材料を交換するためには、個々のフィルタ円板を除去し且つ、新たな個々のフィルタ円板をフレーム内に挿入しなければならない。個々のフィルタ円板を交換するときの費用は極めて多額となる。円形の円板をシート状のフィルタ材料から製造するとき、多数の屑材が発生する。
【特許文献１】国際公開第ＷＯ９８／３５７４０号パンフレット
【特許文献２】米国特許第２５３７８９７号明細書
【特許文献３】欧州特許第０２９１８８３号明細書
【手続補正書】
【提出日】平成16年7月26日(2004.7.26)
【手続補正１】
【補正対象書類名】特許請求の範囲
【補正対象項目名】全文
【補正方法】変更
【補正の内容】
【特許請求の範囲】
【請求項１】
生物剤に対する防護に好適な材料で製造され、そして機械的耐性特性を示すオーバーオールであって、上記材料が不織ポリプロピレンの内層を、ポリエチレン・フィルムの外層によりラミネート加工することによって製造され、ポリプロピレンとポリエチレンの間の単位重量比が７０／３０〜５０／５０にわたることを特徴とする前記オーバーオール。
【請求項２】
前記のポリプロピレンとポリエチレンの間の単位重量比が６５：３５〜５５：４５にわたることを特徴とする、請求項１に記載のオーバーオール。
【請求項３】
前記材料の厚さが２７０〜３４０μｍにわたり、かつ、前記単位重量が５０〜７０ｇ／ｍ2にわたることを特徴とする、請求項１に記載のオーバーオール。
【請求項４】
前記の不織ポリプロピレンの内層が２４０〜２７０μｍにわたる厚さと、３５〜４５ｇ／ｍ2にわたる単位重量を有し、かつ、前記の外側のポリエチレン・フィルムが３０〜７０μｍにわたる厚さと、２０〜３０ｇ／ｍ2にわたる単位重量を有することを特徴とする、請求項１に記載のオーバーオール。
【請求項５】
前記材料の厚さが２８５〜３１５μｍにわたり、かつ、前記単位重量が６０．０〜６７．５ｇ／ｍ2にわたることを特徴とする、請求項１に記載のオーバーオール。
【請求項６】
前記の不織ポリプロピレンの内層が２４５〜２５５μｍにわたる厚さと、３７．５〜４０．０ｇ／ｍ2にわたる単位重量を有し、かつ、前記の外側のポリエチレン・フィルムが４０〜６０μｍにわたる厚さと、２２．５〜２７．５ｇ／ｍ2にわたる単位重量を有することを特徴とする、請求項１に記載のオーバーオール。
【請求項７】
接合部が熱溶着によって作製される、請求項１に記載のオーバーオール。
【請求項８】
フード、並びに手首、足首、ウェスト及び顔を一周するゴムバンドを備えた、請求項１に記載のオーバーオール。
【請求項９】
締め付け手段が正面にあり、ジッパーが粘着性バンドによって覆われ、そのことが気密性のあるシールを確保する、請求項１に記載のオーバーオール。
【請求項１０】
生物剤、すなわち、あらゆる感染症、アレルギー又は毒性を引き起こす可能性がある、遺伝学的に修飾されたものを含む微生物（細菌、寄生虫、カビ、ウイルス）、細胞培養物、及びヒトの体内寄生虫に対する防護服として請求項１に記載のオーバーオールを使用する方法。
【請求項１１】
前記生物剤が、血液及び体液によって感染しうる微生物（ＨＢＶ、ＨＣＶ、ＨＩＶ）であることを特徴とする、請求項１０に記載の使用方法。
【請求項１２】
前記生物剤が、ＢＳＥ及び他のＴＳＥの原因となる物質であることを特徴とする、請求項１０に記載の使用方法。
【請求項１３】
前記生物剤が、バチルス・アンスラシスである、請求項１０に記載の使用方法。
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
物品のスエージラインをマスキングするためのマスキング材料であって、少なくとも２つの相異なる色彩部分と、前記マスキング材料を前記物品に取付けるための接着剤とを有し、前記相異なる色彩部分の境界の色彩コントラストが、前記スエージラインに沿う前記マスキング材料の配置を補助する視認線を形成する、マスキング材料。
【請求項２】
前記マスキング材料が細長い断面を有し、前記視認線が該マスキング材料の長手方向エッジに沿って形成される、請求項１に記載のマスキング材料。
【請求項３】
前記視認線が前記マスキング材料の双方の長手方向エッジに沿って形成される、請求項１に記載のマスキング材料。
【請求項４】
異なる色の乗物に使用するために、２つの向きのうちの選択された１つの向きにて使用可能である、請求項１〜３のいずれか１項に記載のマスキング材料。
【請求項５】
前記相異なる色彩部分のうち一方は明色部分で他方は暗色部分であり、前記マスキング材料は、暗色の乗物には前記明色部分を隣接配置して使用され、明色の乗物には前記暗色部分を隣接配置して使用される、請求項４に記載のマスキング材料。
【手続補正２】
【補正対象書類名】明細書
【補正対象項目名】００４９
【補正方法】変更
【補正の内容】
【００４９】
パネル３の外表面には感圧性粘着剤の長手方向のストライプ３ａが取付けられ、さらに要素２のパネル３から離れた側の外表面には感圧性粘着剤の長手方向のストライプ２ａが取付けられる。
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
経口供給法に使用される食用生地において、
前記生地が、少なくとも一種類の粉と、少なくとも一種類の樹脂を含む溶解性繊維、および少なくともグリセロールを含む薬学的あるいは生理学的に許容される薬剤とを含み、
当該生地が、一または複数の、丸薬、錠剤、カプセル、液剤およびこれらの組合せを含む一群から選択された薬剤の周囲にピッタリと貼り付くことができ、
前記生地が伸縮性を有していて、前記薬剤と均一な塊を形成することができる
ことを特徴とする食用生地。
【請求項２】
前記粉が、ウーラット豆の粉、小麦粉、とうもろこしの粉、米粉、およびこれらの組合せからなる一群から選択されることを特徴とする請求項１に記載の食用生地。
【請求項３】
前記溶解性繊維が、ペクチン、ベータグルカン、でんぷん、グルテン、ガーゴム、寒天、野菜、果物、米ぬか、パルプ、およびこれらの組合せを含む一群からなる化合物と組み合わされた少なくとも一種類の樹脂であることを特徴とする請求項１または２に記載の食用生地。
【請求項４】
少なくとも一種類の保存料化合物、食塩、水、少なくとも一種類の無機質充填物、プロピレングリコール、ポリエチレングリコール、少なくとも一種類の乳化剤、少なくとも一種類の油脂化合物、少なくとも一種類の色素、少なくとも一種類の溶解性繊維、およびこれらの組合せからなる一群から選択された別の化合物とグリセロールとが、前記、薬学的あるいは生理学的に許容される薬剤に含まれることを特徴とする請求項１ないし３のいずれかに記載の食用生地。
【請求項５】
前記保存料が、ベンジルアルコール、パラベン、ソルビン酸塩、安息香酸塩、およびこれらの組合せからなる一群から選択されることを特徴とする請求項１ないし４のいずれかに記載の食用生地。
【請求項６】
前記無機質充填材が、ケイ酸塩、硫酸塩、炭酸塩、金属酸化物、およびこれらの組合せからなる一群から選択されることを特徴とする請求項１ないし５のいずれかに記載の食用
生地。
【請求項７】
前記少なくとも一種類の乳化剤および脂質が、エトキシ化物、樹脂、ソルビタン、ヒマシ油誘導体、固形脂質、一ステアリン酸塩、およびこれらの組合せからなる一群から選択されることを特徴とする請求項１ないし６のいずれかに記載の食用生地。
【請求項８】
前記生地が、ピーナツ油、ひまわり油、およびこれらの組合せを含む一群から選択される油を含むことを特徴とする請求項１ないし７のいずれかに記載の食用生地。
【請求項９】
前記生地が、動物を惹きつける香味料を含むことを特徴とする請求項１ないし８のいずれかに記載の食用生地。
【請求項１０】
前記香味料が、牛肉、羊肉、鶏肉、シーフード、ベーコン、アミノ酸、これらの抽出物、およびこれらの組合せからなる一群から選択されることを特徴とする請求項９に記載の食用生地。
【請求項１１】
前記香味料が、全混合物の０．４５ないし１．５重量パーセント含まれていることを特徴とする請求項９または１０に記載の食用生地。
【請求項１２】
前記動物が家庭のペットであることを特徴とする請求項９ないし１１のいずれかに記載の食用生地。
【請求項１３】
経口供給法に使用される食用生地において、前記生地が、米粉、小麦粉、アカシア樹脂、小麦グルテン、未変性とうもろこしでんぷん、水素添加ココナツ油、水、グリセリン、炭酸カルシウム、二酸化チタン、メタ重亜硫酸ナトリウム、牛肉香味料、燻製風味料、カラメル色素、を含んでいて、前記生地が伸縮性を有していて、薬剤に膜を形成することができることを特徴とする食用生地。
【請求項１４】
前記生地に、一または複数の種類の粉、食塩、香味料、あるいはこれらの組合せからなる一群から選ばれる追加成分がまぶされたことを特徴とする請求項１ないし１３のいずれかに記載の食用生地。
【請求項１５】
前記生地が、常温で微生物学的に安定であることを特徴とする請求項１ないし１４のいずれかに記載の食用生地。
【請求項１６】
請求項１ないし１５のいずれかに記載の食用生地の包装されたブロックを含む製品。
【請求項１７】
請求項１ないし１５のいずれかに記載の食用生地を、各ブリスターに当該生地を小分けして詰めるようにブリスターパケットに詰めた製品。
【請求項１８】
動物に薬剤を供給する経口供給方法において、
請求項１ないし１５のいずれかに記載された食用生地を、薬剤の周りにピッタリと貼りつけ、
前記生地が貼り付けられた薬剤を動物に投与し、
前記生地が伸縮性を有するので、前記薬剤と生地とがその間に膜を形成し、動物がそれらを分離できないことを特徴とする
動物に薬剤を供給する経口供給方法。
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
図３に示す形態ＢのＸ線粉末回折パターンを有する式ＩＩａ
【化１】
2005508321.tif 000001
の結晶性（４Ｒ，５Ｓ，６Ｓ，８Ｒ，２’Ｓ，４’Ｓ）−３−［［２−［［（３−カルボキシフェニル）アミノ］カルボニル］ピロリジン−４−イル］チオ］−４−メチル−６−（１−ヒドロキシエチル）−７−オキソ−１−アザビシクロ［３．２．０］ヘプタ−２−エン−２−カルボン酸モノナトリウム塩。
【請求項２】
式ＩＩａ
【化２】
2005508321.tif 000002
の結晶性カルバペネムモノナトリウム塩を調製する方法であって、
ａ）式ＩＩおよび式４
【化３】
2005508321.tif 000003
のカルバペネムおよび／またはこれらの塩の形態を含む水溶液に有機溶媒を加えるステップと、
ｂ）前記溶液を−５℃未満に冷却するステップと、
ｃ）酸を用いてｐＨを約６〜約５に調節するステップと、
ｄ）前記水溶液の容積に対して約０．５〜約３．０容積のメタノール、場合によって前記水溶液の容積に対して約０．５〜約３．０容積のＣ１〜５アルコールを前記溶液に加えることによって結晶化させるステップと、
ｅ）式ＩＩａのカルバペネム結晶を単離するステップ
とを含む方法。
【請求項３】
Ｃ１〜５アルコールがメタノール、１−プロパノール、２−プロパノール、イソプロピルアルコール、エタノール、１−ブタノール、２−ブタノール、イソブチルアルコール、ｔ−ブチルアルコール、１−ペンタノール、２−ペンタノール、３−ペンタノール、イソペンチルアルコールおよびこれらの混合物からなる群から選択される請求項２に記載の方法。
【請求項４】
約−５℃〜約−２５℃の温度で実施され、かつ前記酸がギ酸、酢酸、プロピオン酸および酪酸からなる群から選択される請求項２に記載の方法。
【請求項５】
酸が酢酸である請求項４に記載の方法。
【請求項６】
式ＩＩａ、形態Ｂ
【化４】
2005508321.tif 000004
の結晶性カルバペネムモノナトリウム塩を調製する方法であって、
ａ）式ＩＩおよび式４
【化５】
2005508321.tif 000005
のカルバペネムおよび／またはこれらの塩の形態を含む水溶液に１−プロパノールを加えるステップと、
ｂ）前記溶液を−５℃から−２５℃に冷却するステップと、
ｃ）ギ酸、酢酸、プロピオン酸および塩酸からなる群から選択される酸を用いてｐＨを約６〜約５に調節するステップと、
ｄ）前記水溶液の容積に対して約０．５〜約３．０容積のメタノール、および前記水溶液の容積に対して約０．５〜約３．０容積の１−プロパノールを前記溶液に加えることによって結晶化させるステップと、
ｅ）式ＩＩａの形態Ａカルバペネム結晶を単離するステップと、
【化６】
2005508321.tif 000006
ｆ）式ＩＩａの形態Ａ結晶を含む固体を、約５％〜約２５％の水（容積／容積）を含む水と２−プロパノールの混合物で洗浄して、式ＩＩａ、形態Ｂの化合物を作製するステップ
とを含む方法。
【手続補正書】
【提出日】平成16年7月29日(2004.7.29)
【手続補正１】
【補正対象書類名】特許請求の範囲
【補正対象項目名】全文
【補正方法】変更
【補正の内容】
【特許請求の範囲】
【請求項１】
インスリン抵抗性の症状に罹っているかまたは罹るリスクのあるヒトの当該症状を予防するかまたは低下させる医薬または食物サプリメントの製造のためのナイアシン結合クロムの使用であって、
当該医薬または食物サプリメントは、当該ヒトに投与した時当該症状を緩和する有効量のナイアシン結合クロムを投与するためのものである、
上記使用。
【請求項２】
医薬または食物サプリメントは、約５０μｇ〜約１，０００μｇのナイアシン結合クロムを投与するためのものである請求項１の使用。
【請求項３】
医薬または食物サプリメントは、ナイアシン結合クロムを１日２回投与するためのものである請求項１の使用。
【請求項４】
医薬または食物サプリメントは、（−）ヒドロキシクエン酸、亜鉛、トランス−レスベラトロール、ギムネマ酸、セレン、アントシアニジン、アリシン、およびサポニンよりなる群から選択される３つの化合物をさらに投与するためのものである請求項１の使用。
【請求項５】
（−）ヒドロキシクエン酸の量は約２５０mg〜約２，５００mgである請求項４の使用。
【請求項６】
亜鉛の量は約５mg〜約５０mgである請求項４の使用。
【請求項７】
トランス−レスベラトロールの量は約５mg〜約５０mgである請求項４の使用。
【請求項８】
ギムネマ酸の量は約５０mg〜約２００mgである請求項４の使用。
【請求項９】
セレンの量は約０．０２５mg〜約０．１mgである請求項４の使用。
【請求項１０】
アントシアニジンの量は約５mg〜約５０mgである請求項４の使用。
【請求項１１】
アリシンの量は約２mg〜約８mgである請求項４の使用。
【請求項１２】
サポニンの量は約１００mg〜約３００mgである請求項４の使用。
【請求項１３】
ナイアシン結合クロムと、（−）ヒドロキシクエン酸、亜鉛、トランス−レスベラトロール、ギムネマ酸、セレン、アントシアニジン、アリシン、およびサポニンよりなる群から選択される３つの化合物とを含む医薬組成物または食物サプリメント組成物。
【請求項１４】
約５０μｇ〜約１，０００μｇのナイアシン結合クロムを含む請求項１３の医薬組成物または食物サプリメント組成物。
【請求項１５】
約２５０mg〜約２，５００mgの（−）ヒドロキシクエン酸を含む請求項１３の医薬組成物または食物サプリメント組成物。
【請求項１６】
約５mg〜約５０mgの亜鉛を含む請求項１３の医薬組成物または食物サプリメント組成物。
【請求項１７】
約５mg〜約５０mgのトランス−レスベラトロールを含む請求項１３の医薬組成物または食物サプリメント組成物。
【請求項１８】
約５０mg〜約２００mgのギムネマ酸を含む請求項１３の医薬組成物または食物サプリメント組成物。
【請求項１９】
約０．０２５mg〜約０．１mgのセレンを含む請求項１３の医薬組成物または食物サプリメント組成物。
【請求項２０】
約５mg〜約５０mgのアントシアニジンを含む請求項１３の医薬組成物または食物サプリメント組成物。
【請求項２１】
約２mg〜約８mgのアリシンを含む請求項１３の医薬組成物または食物サプリメント組成物。
【請求項２２】
約１００mg〜約３００mgのサポニンを含む請求項１３の医薬組成物または食物サプリメント組成物。
【手続補正書】
【提出日】平成16年5月25日(2004.5.25)
【手続補正１】
【補正対象書類名】特許請求の範囲
【補正対象項目名】全文
【補正方法】変更
【補正の内容】
【特許請求の範囲】
【請求項１】
分散不良薬物、浮遊化剤および界面活性剤を含有し、該浮遊化剤および該界面活性剤により分散不良薬物の溶出性が改善される造粒物であって、該分散不良薬物が１１−［４−［２−（２−ヒドロキシエトキシ）エチル］−１−ピペラジニル］ジベンゾ［ｂ，ｆ］［１，４］チアゼピンまたはその塩であり、該浮遊化剤が結晶セルロースであり、該界面活性剤がラウリル硫酸ナトリウムである、該分散不良薬物の溶出性が改善された造粒物。
【請求項２】
造粒物が押し出し造粒法により製造された、請求項１に記載の造粒物。
【請求項３】
造粒物が細粒の形態である、請求項１に記載の造粒物。
【請求項４】
請求項１に記載の造粒物を含有するカプセル剤。
【請求項５】
請求項１に記載の造粒物を含有する錠剤。
【請求項６】
１１−［４−［２−（２−ヒドロキシエトキシ）エチル］−１−ピペラジニル］ジベンゾ［ｂ，ｆ］［１，４］チアゼピンの配合割合が０．１〜０．７重量部である請求項１に記載の造粒物
【請求項７】
分散不良薬物に浮遊化剤および界面活性剤を混合し造粒することからなり、該分散不良薬物が１１−［４−［２−（２−ヒドロキシエトキシ）エチル］−１−ピペラジニル］ジベンゾ［ｂ，ｆ］［１，４］チアゼピンまたはその塩であり、該浮遊化剤が結晶セルロースであり、該界面活性剤がラウリル硫酸ナトリウムである、分散不良薬物の溶出性を改善する方法。
【手続補正書】
【提出日】平成16年8月9日(2004.8.9)
【手続補正１】
【補正対象書類名】明細書
【補正対象項目名】０１９３
【補正方法】変更
【補正の内容】
【０１９３】
【表１】
2005508332.tif 000001
【手続補正２】
【補正対象書類名】明細書
【補正対象項目名】０２５３
【補正方法】変更
【補正の内容】
【０２５３】
ペプチド核酸（ＰＮＡ）の合成−核局在化ペプチド（ＴＡＴ）キメラ
Ｎａｌｐｈａ−Ｆｍｏｃ  Ｌ−アミノ酸（カルビオケム・ノバビオケム（Ｃａｌｂｉｏｃｈｅｍ−Ｎｏｖａｂｉｏｃｈｅｍ）社、サンディエゴ、カリフォルニア州）を用いるｒｉｎｋ（４−２’，４’−ジメトジフェニル−Ｆｍｏｃ−アミノメチル−フェノキシ）コポリスチレン樹脂（０．１ｍｍｏｌ）上での固相法によって、核局在化シグナルペプチドのＴＡＴ（Ｔｙｒ−Ｇｌｙ−Ａｒｇ−Ｌｙｓ−Ｌｙｓ−Ａｒｇ−Ａｒｇ−Ｇｌｎ−Ａｒｇ−Ａｒｇ−Ａｒｇ）（配列番号１５）をペプチドアミンとして合成する。それぞれのＦｍｏｃ−Ｌ−アミノ酸の１０当量（１．０ｍｍｏｌ）をＰｙＢｏｐ／ＨｏＢｔ／４−メチルモルホリンで活性化させた。そして、３０分かけて、１−メチル−２−ピロリジノン（ＮＭＰ）中の２０％ピペリジンによってそれぞれのＮａｌｐｈａ−Ｆｍｏｃ保護基の脱保護を行い、それに続けて、２時間かけてＮＭＰを樹脂結合ペプチド鎖に結合させた。
【手続補正書】
【提出日】平成16年6月9日(2004.6.9)
【手続補正１】
【補正対象書類名】特許請求の範囲
【補正対象項目名】全文
【補正方法】変更
【補正の内容】
【特許請求の範囲】
【請求項１】
グルタチオン前駆体、またはその誘導体、相同物、類似物、化学的等価物、もしくは模倣物の有効量を哺乳類に投与する段階を含む、哺乳類における神経精神医学的な障害を治療および/または予防する方法。
【請求項２】
哺乳類がヒトである、請求項1記載の方法。
【請求項３】
神経精神医学的な障害が、統合失調症、精神病、双極性障害、躁うつ病、情動障害、または統合失調症様障害もしくは分裂情動性障害、精神病性うつ病、薬剤による精神病、うわごと、アルコール禁断症候群、または痴呆による精神病である、請求項1または2記載の方法。
【請求項４】
障害が統合失調症である、請求項3記載の方法。
【請求項５】
グルタチオン前駆体がN-アセチルシステインである、請求項1〜4のいずれか1項記載の方法。
【請求項６】
哺乳類の脳におけるグルタチオン代謝アップレギュレーションおよび/または酸化ホメオスタシス正常化のための薬剤を製造する際の、グルタチオン前駆体、またはその誘導体、相同物、類似物、化学的等価物、もしくは模倣物の用途であって、グルタチオン前駆体が脳における抗酸化機能活性をアップレギュレーションする用途。
【請求項７】
哺乳類における神経精神医学的な障害を治療するための薬剤を製造する際の、グルタチオン前駆体、またはその誘導体、相同物、類似物、化学的等価物、もしくは模倣物の用途であって、グルタチオン前駆体が哺乳類の脳における抗酸化機能活性をアップレギュレーションする用途。
【請求項８】
哺乳類がヒトである、請求項6または7記載の用途。
【請求項９】
神経精神医学的な障害が、統合失調症、精神病、双極性障害、躁うつ病、情動障害、または統合失調症様障害もしくは分裂情動性障害、精神病性うつ病、薬剤による精神病、うわごと、アルコール禁断症候群、または痴呆による精神病である、請求項7または8記載の用途。
【請求項１０】
神経精神医学的な障害が統合失調症である、請求項9記載の用途。
【請求項１１】
グルタチオン前駆体がN-アセチルシステインである、請求項6〜10のいずれか1項記載の用途。
【請求項１２】
グルタチオン前駆体、またはその誘導体、相同物、類似物、化学的等価物、もしくは模倣物の有効量を哺乳類に投与する段階を含む、哺乳類の脳におけるグルタチオン代謝をアップレギュレーションする方法。
【請求項１３】
哺乳類がヒトである、請求項12記載の方法。
【請求項１４】
グルタチオン代謝が、脳における抗酸化機能活性を誘導、アップレギュレーション、または増強する、請求項13記載の方法。
【請求項１５】
グルタチオン前駆体がN-アセチルシステインである、請求項12〜14のいずれか1項記載の方法。
【請求項１６】
グルタチオン代謝のアップレギュレーションに十分な時間および条件下で、グルタチオン前駆体、またはその誘導体、相同物、類似物、化学的等価物、もしくは模倣物の有効量を哺乳類に投与する段階を含む、望ましくない脳の酸化を示す哺乳類の脳における酸化ホメオスタシスを正常化する方法。
【請求項１７】
哺乳類がヒトである、請求項16記載の方法。
【請求項１８】
グルタチオン前駆体がN-アセチルシステインである、請求項16または17のいずれか1項記載の方法。
【請求項１９】
請求項1〜5または12〜18のいずれか1項記載の方法に従って使用する場合における、グルタチオン前駆体ならびに1つまたは複数の薬学的に許容されうる担体および/または稀釈剤を含む薬学的組成物。
【手続補正書】
【提出日】平成16年5月27日(2004.5.27)
【手続補正１】
【補正対象書類名】特許請求の範囲
【補正対象項目名】全文
【補正方法】変更
【補正の内容】
【特許請求の範囲】
【請求項１】
式(I)：
【化１】
2005508337.tif 000001
[式中、
XはNであり、ZはCHであるか；又は、
XはCHであり、ZはNであり；
Rは水素又はハロゲンであり；
Aは、
【化２】
2005508337.tif 000002
(式中、
R1はハロゲンであり、
R2は水素、C1-C6-アルキル、C1-C6-アルコキシ又はC1-C6-アルキルスルファニルであり、
R3は水素又はC1-C6-アルキルである)
から選択される]
で表される化合物並びにその塩、溶媒和物及び生理学的に機能する誘導体。
【請求項２】
Aが、
【化３】
2005508337.tif 000003
であり、R1がハロゲンであり、R2が水素、C1-C6-アルキル、C1-C6-アルコキシ又はC1-C6-アルキルスルファニルである、請求項1に記載の化合物。
【請求項３】
Aが、
【化４】
2005508337.tif 000004
であり、R3が水素又はC1-C6-アルキルである、請求項1に記載の化合物。
【請求項４】
以下の
【化５】
2005508337.tif 000005
から選択される化合物。
【請求項５】
治療有効量の請求項1〜4のいずれか1項に記載の化合物又はその塩、溶媒和物若しくは生理学的に機能する誘導体及び1種以上の医薬上許容される担体、希釈剤及び賦形剤を含む医薬組成物。
【請求項６】
不適切TrkA活性が介在する疾患の治療で使用されるための医薬の製造における請求項1〜5のいずれか1項に記載の化合物又はその塩、溶媒和物若しくは生理学的に機能する誘導体の使用。
【手続補正書】
【提出日】平成16年5月19日(2004.5.19)
【手続補正１】
【補正対象書類名】特許請求の範囲
【補正対象項目名】全文
【補正方法】変更
【補正の内容】
【特許請求の範囲】
【請求項１】
以下の式Ｉの化合物：
【化１】
2005508320.tif 000001
［式中、
Ｘは、トリハロメチル、Ｃ１−Ｃ６アルキル、および以下の式IIの基：
【化２】
2005508320.tif 000002
（式中、Ｒ３及びＲ４は、独立に、水素、ハロゲン、ヒドロキシル、ニトロ、Ｃ１−Ｃ６アルキル、Ｃ１−Ｃ６アルコキシ、カルボキシ、Ｃ１−Ｃ６トリハロアルキル、シアノ、アルキルスルホニル、スルファミル、ホスホナト、およびヒドロキシアルキルからなる群から選択される）
からなる群から選択され、かつ
ＹおよびＺは、独立に、置換及び非置換のアリールからなる群から選択される］
を調製する方法であって、
以下の式IIIのアルキン：
【化３】
2005508320.tif 000003
と、式Ｙ-ＮＨＮＨ２（IV）のアリールヒドラジンまたはその塩とを縮合することを含む方法。
【請求項２】
Ｙが置換または非置換のヘテロアリールである、請求項１記載の方法。
【請求項３】
Ｙが、置換及び非置換のインドリル、フリル、チエニル、ピリジル、ベンゾフリル、ベンゾチエニル、イミダゾリル、ピラゾリル、チアゾリル、ベンゾチアゾリル、キノリニル、および４-(２-ベンジルオキサゾリル)からなる群から選択される、請求項２記載の方法。
【請求項４】
Ｙが、非置換のフェニル、およびモノ-、ジ-およびトリ-置換フェニルからなる群から選択される、請求項１記載の方法。
【請求項５】
Ｙが、一以上のハロゲン、ヒドロキシル、ニトロ、Ｃ１−Ｃ６アルキル、Ｃ１−Ｃ６アルコキシ、カルボキシ、Ｃ１−Ｃ６トリハロアルキル、シアノ、または以下の式：
−ＳＯ２Ｒ５（式中、Ｒ５はＣ１−Ｃ６アルキルまたはアミノである）
で置換されたフェニルである、請求項４記載の方法。
【請求項６】
Ｚが置換または非置換のヘテロアリールである、請求項１記載の方法。
【請求項７】
Ｚが、置換または非置換の、インドリル、フリル、チエニル、ピリジル、ベンゾフリル、ベンゾチエニル、イミダゾリル、ピラゾリル、チアゾリル、ベンゾチアゾリル、キノリニル、及び４-(２-ベンジルオキサゾリル)からなる群から選択される、請求項６記載の方法。
【請求項８】
Ｚが、非置換のフェニル、およびモノ-、ジ-およびトリ-置換フェニルからなる群から選択される、請求項１記載の方法。
【請求項９】
Ｚが、一以上のハロゲン、ヒドロキシル、ニトロ、Ｃ１−Ｃ６アルキル、Ｃ１−Ｃ６アルコキシ、カルボキシ、Ｃ１−Ｃ６トリハロアルキルおよびシアノで置換されたフェニルである、請求項８記載の方法。
【請求項１０】
式IIIのアルキンが、
(i)臭素を以下の式V：
【化４】
2005508320.tif 000004
のα,β-不飽和ケトンに加える工程、および
(ii)工程(i)の生成物を塩基と接触させる工程
を含む方法により調製される、請求項１記載の方法。
【請求項１１】
Ｘがトリフルオロメチルである、請求項１０記載の方法。
【請求項１２】
式Vのα,β-不飽和ケトンが、以下の式IX：
【化５】
2005508320.tif 000005
の化合物を、フッ化セシウムの存在下で、トリメチル（トリフルオロメチル）シランで処理することを含む方法により調製される、請求項１１記載の方法。
【請求項１３】
Ｘが、Ｃ１−Ｃ６アルキルおよび式IIの基(式中、Ｒ３及びＲ４は、独立に、ハロゲン、ヒドロキシル、ニトロ、Ｃ１−Ｃ６アルキル、Ｃ１−Ｃ６アルコキシ、カルボキシ、Ｃ１−Ｃ６トリハロアルキル、シアノ、アルキルスルホニル、スルファミル、ホスホナト、およびヒドロキシアルキルからなる群から選択される)からなる群から選択される、請求項１記載の方法。
【請求項１４】
Ｘがトリフルオロメチルであり、Ｙが４-スルファミルであり、かつＺが置換フェニルである、請求項１記載の方法。
【請求項１５】
Ｚがｐ-メチルフェニルである、請求項１４記載の方法。
【請求項１６】
以下の式III：
【化６】
2005508320.tif 000006
［式中、Ｚは置換及び非置換ヘテロアリールおよびｐ-メチルフェニルからなる群から選択される］
の化合物。
【請求項１７】
Ｚが、ｐ-メチルフェニルである、請求項１６記載の化合物。
【手続補正書】
【提出日】平成16年6月29日(2004.6.29)
【手続補正１】
【補正対象書類名】明細書
【補正対象項目名】０００２
【補正方法】変更
【補正の内容】
【０００２】
磁気抵抗メモリーは、不揮発性である。すなわち、電源が切れるまたは遮断された場合でも、メモリー内に記憶されたデータは保持される。一般に、磁気抵抗メモリーは、強磁性材料からなる薄膜の磁化方向の変化を利用して、二値状態を表し、記憶する。強磁性材料からなる各薄膜を磁気抵抗ビットと呼ぶ。書込み動作中に、選択されたビット構造体の近くに適切な電流を流し、ワード線および／またはデジット線、および／または検出電流をしばしば用いることによって、選択されたビット構造体の磁化方向が調節される。電流は、磁界を生じて、この磁界によって、強磁性薄膜の層の少なくとも１つの磁化方向が所望の方向へ調節される。磁化方向によって、その膜の磁気抵抗が決まる。薄膜の磁気抵抗は、その後の読み出し動作中に、検出線などを経てビット構造体中に検出電流を流すことによって、読み出し可能である。
【手続補正２】
【補正対象書類名】明細書
【補正対象項目名】００２４
【補正方法】変更
【補正の内容】
【００２４】
図5は、絶縁層25から磁気抵抗ビットまで、さらに好ましくは保護層19までコンタクトまたはビアホール29を切り込んだ、図4の例示的な集積回路の側方断面図である。コンタクトまたはビアホール29は、ビットへの電気的接続を行うためにビット端4aおよび4b（図1を参照）の一方のおよそ中央に配置されることが好ましい。例えば図1に示すように、コンタクトまたはビアホール29は、保護層19の上部を貫通はせず、または磁気抵抗ビットの外周縁の外側へは延びないことが好ましい。磁気抵抗ビットの側縁27は、よって後の処理にさらされず、絶縁層25により被覆または保護されたままである。磁気抵抗ビットの上面が保護層19により保護され、かつ磁気抵抗ビットの側壁27が絶縁層25により保護されるので、コンタクトまたはビアホール29は、例えば酸素アッシャーフォトレジスト除去ステップなどの通常の処理ステップを用いて作り出すことができる。これによって、磁気抵抗メモリーの製造コストをかなり削減可能であり、得られる全体の歩留まりを増加させることができる。
【手続補正３】
【補正対象書類名】明細書
【補正対象項目名】００２５
【補正方法】変更
【補正の内容】
【００２５】
コンタクトまたはビアホール29が作り出された後、金属層が、絶縁層25上に配置されエッチングされて所望の金属パターンが形成されることが好ましい。金属は、コンタクトまたはビアホール29内へ延ばすことが好ましく、それにより、金属層が、コンタクトまたはビアホール29を満たし保護層19と接触可能になる。保護層19が、好ましくは少なくとも部分的に導電性を有するので、金属層と磁気抵抗ビットとが電気的に接続される。あるいは、金属層を設ける前にまずコンタクトまたはビアホール29をタングステンなどの低抵抗材料で満たすことが考えられる。これによって、コンタクトまたはビアホール29の全抵抗を低減できる。
【手続補正４】
【補正対象書類名】図面
【補正対象項目名】図１
【補正方法】変更
【補正の内容】
【図１】
2005508084.tif 000001
【手続補正５】
【補正対象書類名】図面
【補正対象項目名】図４
【補正方法】変更
【補正の内容】
【図４】
2005508084.tif 000002
【手続補正６】
【補正対象書類名】図面
【補正対象項目名】図５
【補正方法】変更
【補正の内容】
【図５】
2005508084.tif 000003
【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】  少なくとも１人のユーザにデータを提供するためのモジュール式の再構成可能な娯楽及びデータ・システムであって、
内部に複数のモジュール受けレールを備えるキャビネットと、
前記複数のモジュール受けレールの第１レール上に置かれ、電位を提供し操作する電源供給モジュールと、
前記複数のモジュール受けレールの第２レール上に置かれる娯楽モジュールと、
前記複数のモジュール受けレールの第３レール上に置かれ、前記少なくとも１人のユーザと前記娯楽モジュールとの間にインターフェイスを提供する制御モジュールと、
を備えたモジュール式の再構成可能な娯楽及びデータ・システム。
【請求項２】  請求項１に記載のシステムにおいて、該システムはさらに、
前記複数のモジュール受けレールの第４レール上に置かれ、第１のフォーマットでＴＶデータを受信し処理する第１レシーバ・モジュールを、
備えるモジュール式の再構成可能な娯楽及びデータ・システム。
【請求項３】  請求項２に記載のシステムにおいて、該システムはさらに、
前記複数のモジュール受けレールの第５レール上に置かれ、第２のフォーマットでＴＶデータを受信し処理する第２レシーバ・モジュールを、
備えるモジュール式の再構成可能な娯楽及びデータ・システム。
【請求項４】  請求項２に記載のシステムにおいて、前記キャビネットが、モジュール間の電気的結合を提供するバックプレーンを備える、モジュール式の再構成可能な娯楽及びデータ・システム。
【請求項５】  請求項４に記載のシステムにおいて、前記モジュールのそれぞれが、前記複数のモジュール受けレールの特定のレールのみに受け取られるようにキー止めされる、モジュール式の再構成可能な娯楽及びデータ・システム。
【請求項６】  請求項１に記載のシステムにおいて、該システムはさらに、
前記複数のモジュール受けレールの第４レール上に置かれるデータ・モジュールを、
備えるモジュール式の再構成可能な娯楽及びデータ・システム。
【請求項７】  少なくとも１人のユーザにデータを提供するためのモジュール式の再構成可能な娯楽及びデータ・システムであって、
内部に複数のモジュール受けレールを備えるキャビネットと、
前記複数のモジュール受けレールの第１レール上に置かれ、動作電位を提供する電源供給モジュールと、
前記複数のモジュール受けレールの第２レール上に置かれるデータ・モジュールと、
前記複数のモジュール受けレールの第３レール上に置かれ、少なくとも１人のユーザと前記データ・モジュールとの間にインターフェイスを提供する制御モジュールと、
を備えたモジュール式の再構成可能な娯楽及びデータ・システム。
【請求項８】  少なくとも１人のユーザにデータを提供するためのモジュール式の再構成可能な娯楽及びデータ・システムであって、
内部に複数のモジュール受けレールを備えるキャビネットと、
前記複数のモジュール受けレールの第１レール上に置かれ、動作電位を提供する電源供給モジュールと、
前記複数のモジュール受けレールの第２レール上に置かれ、第１のフォーマットでＴＶデータを受信し処理する第１ＴＶレシーバ・モジュールと、
前記複数のモジュール受けレールの第３レール上に置かれるＤＶＤモジュールと、
前記複数のモジュール受けレールの第４レール上に置かれるデータ・モジュールと、
前記複数のモジュール受けレールの第５レール上に置かれるゲーム・モジュールと、
前記複数のモジュール受けレールの第６レール上に置かれ、前記少なくとも１人のユーザと、前記第１ＴＶレシーバ・モジュール、前記ＤＶＤモジュール、前記データ・モジュール、及び前記ゲーム・モジュールとの間にインターフェイスを提供する制御モジュールと、
を備えるモジュール式の再構成可能な娯楽及びデータ・システム。
【請求項９】  アンテナで複数のフォーマットで受信されたデータを処理し、処理されたデータを少なくとも１人のユーザに提供するためのモジュール式の再構成可能な娯楽及びデータ・システムであって、
内部に複数のモジュール受けレールを備えるキャビネットと、
前記複数のモジュール受けレールの第１レール上に置かれ、動作電位を提供する電源供給モジュールと、
前記複数のモジュール受けレールの第２レール上に置かれ、前記複数のフォーマットの第２フォーマットでデータを受信し処理する第１レシーバ・モジュールと、
前記複数のモジュール受けレールの第３レール上に置かれ、前記複数のフォーマットの第２フォーマットで受信されたデータを受信し処理する第２レシーバ・モジュールと、
前記複数のモジュール受けレールの第４レール上に置かれ、前記少なくとも１人のユーザと前記第１レシーバ・モジュールと前記第２レシーバ・モジュールとの間にインターフェイスを提供する制御モジュールと、
を備えるモジュール式の再構成可能な娯楽及びデータ・システム。
【請求項１０】  アンテナで複数のフォーマットで受信されたＴＶデータを処理し、処理されたＴＶデータを少なくとも１つのユーザ・ディスプレイ・システムに供給するための複数のモジュールを備えたモジュール式のマルチ・リージョナルＴＶシステムであって、
内部に複数のモジュール受けレールを備えるキャビネットと、
前記複数のモジュール受けレールの第１レール上に置かれ、動作電位を提供する電源供給モジュールと、
前記複数のモジュール受けレールの第２レール上に置かれ、アンテナを制御するアンテナ制御モジュールと、
前記複数のモジュール受けレールの第３レール上に置かれ、前記複数のフォーマットの第１フォーマットで受信されたＴＶデータを受信し処理する第１レシーバ・モジュールと、
前記複数のモジュール受けレールの第４レール上に置かれ、前記複数のフォーマットの第２フォーマットで受信されたＴＶデータを受信し処理する第２レシーバ・モジュールと、
前記複数のモジュール受けレールの第５レール上に置かれ、前記少なくとも１つのユーザ表示装置と、前記第１のレシーバ・モジュールと、前記第２のレシーバ・モジュールとの間にインターフェイスを提供する制御モジュールと、
を備えたモジュール式のマルチ・リージョナルＴＶシステム。
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
監視範囲内の対象物を検出する方法であって、
監視範囲をあるパターンを用いて照明するステップと、
前記パターンを含む、前記監視範囲の生の像を捕捉するステップと、
ある変化が前記生の像内の前記パターンで検出されたとき、前記監視範囲内の対象物を検出するステップと、
を備える方法。
【請求項２】
監視範囲内の対象物を検出する方法であって、
監視範囲を第１のパターンを用いて照明するステップと、
前記第１のパターンに対してシフトされた第２のパターンを加えることにより、モアレ干渉バンドを生成するステップと、
前記モアレ干渉バンドを含む、前記監視範囲の生の像を捕捉するステップと、
ある変化が前記生の像内の前記モアレ干渉バンドで検出されたとき、前記監視範囲内の対象物を検出するステップと、
を備える方法。
【請求項３】
監視範囲内の対象物を検出する方法であって、
それぞれが１つの輝度レベルを持つ、明るい範囲及び暗い範囲を有する指定されたパターンを用いて監視範囲を照明するステップと、
各参照マスク窓が前記監視範囲の少なくとも一部をカバーする、複数の参照像マスク窓を捕捉するステップと、
各参照像マスク窓に対して、前記マスク窓内の明るい範囲に対応する輝度レベルと前記マスク窓内の暗い範囲に対応する輝度レベルとの間の差「ｇｒｅｆ」を計算するステップと、
各参照像マスク窓に対して、対応する生の像マスク窓を捕捉するステップと、
各生の像マスク窓に対して、前記マスク窓内の明るい範囲に対応する輝度レベルと前記マスク窓内の暗い範囲に対応する輝度レベルとの間の差「ｇｌｉｖｅ」を計算するステップと、
任意のマスク窓に対して、前記の計算された値「ｇｌｉｖｅ」が対応する計算された値「ｇｒｅｆ」から少なくとも指定された閾値だけ異なる場合、対象物が検出されたことを指示するステップと、
を備える方法。